(57)【要約】【課題】  記録媒体を回転させて情報の読み書きを行なうディスク装置に関し、特に前記記録媒体を回動自在に挟持するクランパーを構成するクランパー本体と、これと係合するクランパープレートの構造を改善することにより、クランパーのストロークを大きくすると共に、前記ディスク装置全体の薄型化を実現するディスク装置を備えた電子機器を提供する。【解決手段】  クランパー本体７０には内輪環面７２と外輪環面７４とを連結する複数の連結部７３と、前記連結部７３と外輪環面７４との境界から上方に延設した略円筒状の内縁壁７５の上端部に複数のＬ型フック部７７と、前記外輪環面７４から上方の延設した略円筒状の外縁壁７６とを一体に形成し、クランパープレート８０には前記Ｌ型フック部７７と係合する係合孔８３を設け前記外縁壁７６の上端が当たる位置に外周側が高い段差部８２を設けた。【選択図】      図１
2006147110.tif 000002
【特許請求の範囲】
【請求項１】
ディスク状の記録媒体を装置内外へ搬送するトレイと、前記トレイを収納する装置本体のフレームと、前記トレイと共に装置内部に搬送する前記記録媒体を下方から支持して回転するターンテーブルと、前記ターンテーブルと対向して前記フレームの上部に形成するクランパー支持部と、前記クランパー支持部に回転自在に遊嵌するクランパーとを備え、前記トレイによって装置内部に搬送した前記記録媒体を前記ターンテーブル及び前記クランパーによって挟持した状態で回転して情報の読み書きを行なうディスク装置を備えた電子機器において、前記クランパーは樹脂で形成したクランパー本体と、金属で形成した略円盤形状のクランパープレートと、前記クランパー本体に収納してターンテーブルの金属面を吸引するマグネットとからなり、前記クランパー本体には前記マグネットを収納するためのマグネット収納部と、前記クランパープレートと係合する係合手段と、前記マグネット収納部に収納した前記マグネットの移動防止手段とを一体に形成したことを特徴とするディスク装置を備えた電子機器。
【請求項２】
前記クランパー本体の回転軸線の周囲に前記クランパープレートを貫通して位置をガイドする略円筒状のガイド部と、前記ガイド部から周囲に向けて形成した内輪環面と、前記内輪環面から上方に延設した略円筒状の内縁壁とを前記マグネット収納部として前記クランパー本体に形成したことを特徴とする請求項１に記載のディスク装置を備えた電子機器。
【請求項３】
前記内輪環面と、前記内輪環面から放射状に延びた複数の連結部と、前記連結部の周囲に形成した外輪環面とを一体に、且つ前記内輪環面及び前記外輪環面は段差をもって形成し、前記連結部は前記外輪環面から前記内輪環面に向かって上方に傾斜して形成すると共に、前記マグネット収納部の深さを前記マグネットの厚さより浅く形成することで前記マグネットの移動防止手段としたことを特徴とする請求項２に記載のディスク装置を備えた電子機器。
【請求項４】
前記クランパー本体には前記外輪環面と前記連結部との境界から上方に延設した略円筒状の内縁壁と、前記外輪環面の内側から上方に延設した略円筒状の外縁壁と、前記内縁壁の上端に複数のＬ型フック部とを一体に形成し、前記クランパープレートには前記クランパー本体に設けたガイド部を貫通する貫通孔と、前記Ｌ型フック部が係合する複数の係合孔とを形成することで前記クランパープレートの係合手段としたことを特徴とする請求項３に記載のディスク装置を備えた電子機器。
【請求項５】
前記クランパープレートには前記クランパー本体の外縁壁の上端が当たる位置に外周側が上方に高い段差部を形成したことを特徴とする請求項４に記載のディスク装置を備えた電子機器。
【請求項６】
前記クランパープレートの段差部を前記クランパー本体に形成したＬ型フックの厚さより大きく形成したことを特徴とする請求項５記載のディスク装置を備えた電子機器。
【発明の詳細な説明】
【技術分野】
【０００１】
本発明は、ディスク状の記録媒体を装置内部で回転させて情報の読み書きを行なうディスク装置を備える電子機器に関し、特に記録媒体を回転させるターンテーブルと対向する位置に配置して前記記録媒体を回動自在に挟持するクランパーのストロークを大きくすると共に前記ディスク装置全体の薄型化を実現するクランパー構造に関する。
【背景技術】
【０００２】
従来から、ディスク装置には、ターンテーブルに載置され前記記録媒体を上方から挟持するクランパーが配置されており、図１０に示す前記クランパー１６０は図示しないフレームの上部に形成されたクランパー支持部１３１に回動自在に支持されると共に、樹脂で形成されたクランパー本体１７０と、金属で形成された略円盤形状のクランパープレート１８０と、扁平のリング状を呈し前記クランパー本体に収納されて図示しないターンテーブルの金属面を吸引するマグネット１９０からなり、図７に示す前記クランパー本体１７０には回転軸線の周囲に図９に示す平坦なクランパープレート１８０の貫通孔１８１を貫通して位置をガイドする略円筒状のガイド部１７１と、前記ガイド部１７１から周囲に向けて形成した内輪環面１７２と、前記内輪環面１７２の周囲に傾斜して延びた面状の連結部１７３と、前記連結部１７３の周囲に形成した外輪環面１７４と、前記外輪環面１７４と連結部１７３の境界から上方に延設した略円筒状の縁壁１７５と、前記縁壁１７５の上端部に形成して前記クランパープレート１８０と係合する３箇所のＬ型フック部１７７とを一体形成し、前記ガイド部１７１と前記縁壁１７５との間をマグネット収納部１７８とし、前記内輪環面１７２と前記外輪環面１７４とは段差をもって形成されており、これらを連結する連結部１７３は図８に示すマグネット１９０を収納する前記マグネット収納部１７８に向かって上方に傾斜して形成し、前記クランパープレート１８０には前記クランパー本体１７０に設けたガイド部１７１を貫通する貫通孔１８１と、前記Ｌ型フック部１７７が係合する３箇所の係合孔１８３が形成されることにより、前記クランパー本体１７０に形成されたマグネット収納部１７８にマグネット１９０が収納され、クランパープレート１８０はガイド部１７１が貫通孔を貫通して組み付けられてＬ型フック部１７７により係合していた。
【０００３】
このようなディスク装置において、光ディスクをクランプするディスククランパーについては、例えば従来技術として特許文献１には、ディスク装置の装置本体の天板にディスククランパーが回転可能に設置され、ディスククランパーは、その半径方向の全方向に移動可能に遊びを持って設置されている。ディスククランパーの胴部は、天板に形成されたほぼ円形の開口に遊嵌した状態になっている。開口は、円弧と線分とで囲まれる形状をなしており、その半径が後方側の部分で小さくなっている。これにより、ディスククランパーの後方の遊び量は、その他の方向への遊び量より小さくして衝撃が作用しても損傷を防止する方法が開示されている。
【０００４】
【特許文献１】特開２００３−３１７３５１号公報
【発明の開示】
【発明が解決しようとする課題】
【０００５】
本発明は、従来技術における前記クランパー１６０において、金属で形成された前記平坦なクランパープレート１８０にはプレス金型で型抜きされることにより、縁面に厚さ方向のバリを生じ易いため、バリを生じたクランパープレート１８０がクランパー支持部１３１と接触することにより樹脂で形成されたクランパー支持部１３１が前記バリと擦れることによって削れ、微粉を発生し、図示しないピックアップのレンズに付着して光が散乱してしまうことにより、図示しない記録媒体の表面に形成された微細な信号ビットを判読できなくなるといった問題があり、前記平坦で表裏を逆に組立が可能なクランパープレート１８０はクランパー１６０を組み立てる際にバリが生ずるバリ縁面１８０ａは必ずクランパー支持部１３１と接触しないように表裏を指定して組み立てるような注意が払われていたが、前記Ｌ型フック部１７７は表裏が逆になってしまった前記係合孔１８３にも挿入することが出来る構造であり、表裏を間違って誤挿入されてしまうといった問題があった。また、前記Ｌ型フック部１７７は正規に組み立てられても前記クランパープレート１８０面からＬ型フック部１７１の厚さ分だけ突き出して組み立てられる構造であり、該Ｌ型フック部１７７の厚さ分だけディスク装置の厚さが厚くなってしまうといった問題があった。また、前記マグネット１９０が収納されるマグネット収納部１７８の深さは、個々に微妙に異なるマグネット１９０の厚さのバラツキを考慮して前記マグネット１９０の厚さより深く形成されており、ここに厚さが薄目のマグネット１９０が収納されるとクランパー１６０に対してターンテーブルが上下して記録媒体を挟持する、若しくは開放するたびにマグネット１９０が上下に移動して異音を発生してしまうといった問題もあった。また、図示しないディスク装置を薄型化するにはクランパー本体１７０の前記外輪環面１７４とクランパープレート１８０との隙間を狭くすることにより前記クランパー１６０がクランパー支持部１３１を介して上下動を可能とするストローク１６１を狭くせざるを得ないため、これを回避するために図示しないフレームに配置されたクランパー支持部１３１の開口部１３２の肉厚を薄くしているといった問題があった。本発明は、従来例において、前記クランパープレートの表裏を見誤ることによる誤挿入を防止し、クランパー本体１７０に形成されたＬ型フック部１７７の厚さ分だけディスク装置の厚さが厚くなってしまうといった問題や、クランパー１６０が上下動するためのストローク１６１が小さくなることを回避するためにクランパー支持部１３１の肉厚を薄くせざるを得ないといった問題、及びマグネット収納部１７８に収納されたマグネット１９０の移動により異音を発生するといった問題を解決し、クランパープレート１８０の誤挿入を防止し、且つディスク装置の薄型化を可能とし、クランパー支持部１３１の開口部１３２の肉厚を厚くすることを可能とすると共に、マグネット１９０の移動を抑えて異音の発生を防止することが出来るディクス装置を備えた電子機器を得るものである。
【課題を解決するための手段】
【０００６】
請求項１のディスク装置を備えた電子機器は、ディスク状の記録媒体を装置内外へ搬送するトレイと、前記トレイを収納する装置本体のフレームと、前記トレイと共に装置内部に搬送する前記記録媒体を下方から支持して回転するターンテーブルと、前記ターンテーブルと対向して前記フレームの上部に形成するクランパー支持部と、前記クランパー支持部に回転自在に遊嵌するクランパーとを備え、前記トレイによって装置内部に搬送した前記記録媒体を前記ターンテーブル及び前記クランパーによって挟持した状態で回転して情報の読み書きを行なうディスク装置を備えた電子機器において、前記クランパーは樹脂で形成したクランパー本体と、金属で形成した略円盤形状のクランパープレートと、前記クランパー本体に収納してターンテーブルの金属面を吸引するマグネットとからなり、前記クランパー本体には前記マグネットを収納するためのマグネット収納部と、前記クランパープレートと係合する係合手段と、前記マグネット収納部に収納した前記マグネットの移動防止手段とを一体に形成したことを特徴とする。
【０００７】
請求項１の構成によれば、ディスク状の記録媒体を装置内外へ搬送するトレイと、前記トレイを収納する装置本体のフレームと、前記トレイと共に装置内部に搬送する前記記録媒体を下方から支持して回転するターンテーブルと、前記ターンテーブルと対向して前記フレームの上部に形成するクランパー支持部と、前記クランパー支持部に回転自在に遊嵌するクランパーとを備え、前記トレイによって装置内部に搬送した前記記録媒体を前記ターンテーブル及び前記クランパーによって挟持した状態で回転して情報の読み書きを行なうディスク装置を備えた電子機器において、前記クランパーは樹脂で形成したクランパー本体と、金属で形成した略円盤形状のクランパープレートと、前記クランパー本体に収納してターンテーブルの金属面を吸引するマグネットとからなり、前記クランパー本体には前記マグネットを収納するためのマグネット収納部と、前記クランパープレートと係合する係合手段と、前記マグネット収納部に収納した前記マグネットの移動防止手段とを一体に形成したことにより、前記マグネットの移動防止手段を前記クランパーの構成部材とは別に設ける必要は無い。
【０００８】
請求項２のディスク装置を備えた電子機器は、請求項１記載のディスク装置を備えた電子機器において、前記クランパー本体の回転軸線の周囲に前記クランパープレートを貫通して位置をガイドする略円筒状のガイド部と、前記ガイド部から周囲に向けて形成した内輪環面と、前記内輪環面から上方に延設した略円筒状の内縁壁とを前記マグネット収納部として前記クランパー本体に形成したことを特徴とする。
【０００９】
請求項２の構成によれば、前記クランパー本体の回転軸線の周囲に前記クランパープレートを貫通して位置をガイドする略円筒状のガイド部と、前記ガイド部から周囲に向けて形成した内輪環面と、前記内輪環面から上方に延設した略円筒状の内縁壁とを前記マグネット収納部として前記クランパー本体に形成したことにより、前記クランパー本体と前記クランパープレートは前記ガイド部と前記貫通孔によりガイドされて容易に組み付けることが出来ると共に、前記マグネット収納部内に配置される前記マグネットは前記内輪環面を底面とし、前記ガイド部と前記内縁壁とに囲まれた所定の位置に配置することが出来る。
【００１０】
請求項３のディスク装置を備えた電子機器は、請求項２記載のディスク装置を備えた電子機器において、前記内輪環面と、前記内輪環面から放射状に延びた複数の連結部と、前記連結部の周囲に形成した外輪環面とを一体に、且つ前記内輪環面及び前記外輪環面は段差をもって形成し、前記連結部は前記外輪環面から前記内輪環面に向かって上方に傾斜して形成すると共に、前記マグネット収納部の深さを前記マグネットの厚さより浅く形成することで前記マグネットの移動防止手段としたことを特徴とする。
【００１１】
請求項３の構成によれば、前記内輪環面と、前記内輪環面から放射状に延びた複数の連結部と、前記連結部の周囲に形成した外輪環面とを一体に、且つ前記内輪環面及び前記外輪環面は段差をもって形成し、前記連結部は前記外輪環面から前記内輪環面に向かって上方に傾斜して形成すると共に、前記マグネット収納部の深さを前記マグネットの厚さより浅く形成することで前記マグネットの移動防止手段としたことにより、上方に傾斜した複数の連結部がバネ性を備えることが出来るので、浅く形成された前記マグネット収納部に前記マグネットは押し込まれて収納されると共に、前記クランパー本体にクランパープレートが組み付けられた後は、前記バネ性を備えた連結部により前記マグネットは常にクランパープレートに押し付けられた状態を維持することが出来る。
【００１２】
請求項４のディスク装置を備えた電子機器は、請求項３記載のディスク装置を備えた電子機器において、前記クランパー本体には前記外輪環面と前記連結部との境界から上方に延設した略円筒状の内縁壁と、前記外輪環面の内側から上方に延設した略円筒状の外縁壁と、前記内縁壁の上端に複数のＬ型フック部とを一体に形成し、前記クランパープレートには前記クランパー本体に設けたガイド部を貫通する貫通孔と、前記Ｌ型フック部が係合する複数の係合孔とを形成することで前記クランパープレートの係合手段としたことを特徴とする。
【００１３】
請求項４の構成によれば、前記クランパー本体には前記外輪環面と前記連結部との境界から上方に延設した略円筒状の内縁壁と、前記外輪環面の内側から上方に延設した略円筒状の外縁壁と、前記内縁壁の上端に複数のＬ型フック部とを一体に形成し、前記クランパープレートには前記クランパー本体に設けたガイド部を貫通する貫通孔と、前記Ｌ型フック部が係合する複数の係合孔とを形成することで前記クランパープレートの係合手段としたことにより、前記クランパープレートはクランパー本体に形成した前記ガイド部を貫通孔に貫通させると共に前記Ｌ型フック部を前記係合孔に挿通させて係合させることが出来る。また、前記マグネット収納部に収納したマグネットは、前記バネ性を備えた複数の連結部と前記係合されたクランパープレートにより常にクランパープレートに押し付けられて移動防止状態を維持することが出来る。
【００１４】
請求項５のディスク装置を備えた電子機器は、請求項４記載のディスク装置を備えた電子機器において、前記クランパープレートには前記クランパー本体の外縁壁の上端が当たる位置に外周側が上方に高い段差部を形成したことを特徴とする。
【００１５】
請求項５の構成によれば、前記クランパープレートには前記クランパー本体の外縁壁の上端が当たる位置に外周側が上方に高い段差部を形成したことにより、前記クランパープレートに形成した段差により前記クランパー本体と組み付けるときは、表裏を逆に挿入しようとしても前記段差部が先に前記外縁壁の端部に突き当たり前記Ｌ型フック部を係合することが出来ないので表裏を逆に取り付けてしまうことは防止することが出来る。
【００１６】
請求項６のディスク装置を備えた電子機器は、請求項５記載のディスク装置を備えた電子機器において、前記クランパープレートの段差部を前記クランパー本体に形成したＬ型フックの厚さより大きく形成したことを特徴とする。
【００１７】
請求項６の構成によれば、前記クランパープレートの段差部を前記クランパー本体に形成したＬ型フックの厚さより大きく形成したことにより、前記クランパー本体を組み付けた後は、少なくともＬ型フック部の厚さに相当する分のストロークが大きくなるので、該ストロークが大きくなった分だけ、即ち前記Ｌ型フック部の厚さに相当する分だけ前記クランパー支持部の肉厚を厚くすることが出来る。また、前記Ｌ型フックは前記クランパープレートの上面より低くなり、少なくとも前記Ｌ型フック厚さ分だけ前記ディスク装置を薄くすることが出来る。
【発明の効果】
【００１８】
請求項１の発明によれば、ディスク状の記録媒体を装置内外へ搬送するトレイと、前記トレイを収納する装置本体のフレームと、前記トレイと共に装置内部に搬送する前記記録媒体を下方から支持して回転するターンテーブルと、前記ターンテーブルと対向して前記フレームの上部に形成するクランパー支持部と、前記クランパー支持部に回転自在に遊嵌するクランパーとを備え、前記トレイによって装置内部に搬送した前記記録媒体を前記ターンテーブル及び前記クランパーによって挟持した状態で回転して情報の読み書きを行なうディスク装置を備えた電子機器において、前記クランパーは樹脂で形成したクランパー本体と、金属で形成した略円盤形状のクランパープレートと、前記クランパー本体に収納してターンテーブルの金属面を吸引するマグネットとからなり、前記クランパー本体には前記マグネットを収納するためのマグネット収納部と、前記クランパープレートと係合する係合手段と、前記マグネット収納部に収納した前記マグネットの移動防止手段とを一体に形成したことにより、前記マグネットの移動防止手段を前記クランパーの構成部材とは別に設ける必要は無いので、前記クランパーは部品点数を最小限のままで構成することが出来る。また、前記移動防止手段が一体に形成されたことにより前記クランパーの組み付け作業は容易に行なうことが出来る。
【００１９】
請求項２の発明によれば、前記クランパー本体の回転軸線の周囲に前記クランパープレートを貫通して位置をガイドする略円筒状のガイド部と、前記ガイド部から周囲に向けて形成した内輪環面と、前記内輪環面から上方に延設した略円筒状の内縁壁とを前記マグネット収納部として前記クランパー本体に形成したことにより、前記クランパー本体と前記クランパープレートは前記ガイド部と前記貫通孔によりガイドされて組み付けすることが出来ると共に、前記マグネット収納部内に配置される前記マグネットは前記内輪環面を底面とし、前記ガイド部と前記内縁壁とに囲まれた所定の位置に容易に組み付けることが出来る。
【００２０】
請求項３の発明によれば、前記内輪環面と、前記内輪環面から放射状に延びた複数の連結部と、前記連結部の周囲に形成した外輪環面とを一体に、且つ前記内輪環面及び前記外輪環面は段差をもって形成し、前記連結部は前記外輪環面から前記内輪環面に向かって上方に傾斜して形成すると共に、前記マグネット収納部の深さを前記マグネットの厚さより浅く形成することで前記マグネットの移動防止手段としたことにより、上方に傾斜した複数の連結部がバネ性を備えることが出来るので、浅く形成された前記マグネット収納部に前記マグネットは押し込まれて収納されると共に、前記クランパー本体にクランパープレートが組み付けられた後は、前記バネ性を備えた連結部により前記マグネットは常にクランパープレートに押し付けた状態を維持することが出来る。これにより、前記クランパーが記録媒体を挟持または開放する動作により上下動をするたびに前記マグネットがマグネット収納部内の隙間で上下に移動して異音が発生してしまうといった問題は防止することが出来る。
【００２１】
請求項４の発明によれば、前記クランパー本体には前記外輪環面と前記連結部との境界から上方に延設した略円筒状の内縁壁と、前記外輪環面の内側から上方に延設した略円筒状の外縁壁と、前記内縁壁の上端に複数のＬ型フック部とを一体に形成し、前記クランパープレートには前記クランパー本体に設けたガイド部を貫通する貫通孔と、前記Ｌ型フック部が係合する複数の係合孔とを形成することで前記クランパープレートの係合手段としたことにより、前記クランパープレートはクランパー本体に形成した前記ガイド部を貫通孔に貫通させると共に前記Ｌ型フック部を前記係合孔に挿通させて係合させることが出来る。また、前記マグネット収納部に収納したマグネットは、前記バネ性を備えた複数の連結部と前記複数のＬ型フック部で係合されたクランパープレートにより常にクランパープレートに押し付けられて移動防止状態を維持することが出来るので、前記クランパーが記録媒体を挟持または開放する動作により上下動をするたびに前記マグネットがマグネット収納部内の隙間で上下に移動して異音が発生してしまうといった問題は長期にわたり防止することが出来る。
【００２２】
請求項５の発明によれば、前記クランパープレートには前記クランパー本体の外縁壁の上端が当たる位置に外周側が上方に高い段差部を形成したことにより、前記クランパープレートに形成した段差により前記クランパー本体と組み付けるときは、表裏を逆に挿入しようとしても前記段差部が先に前記外縁壁の端部に突き当たり前記Ｌ型フック部を係合することが出来ないので表裏を逆に取り付けてしまうことは防止することが出来る。これにより、前記クランパープレートがプレス金型で型抜きされることにより縁面に厚さ方向のバリが生じ易くなり、バリを生じたクランパープレートの縁面がクランパーの挟持動作により上下動をするたびにクランパープレートと接触して擦れ、樹脂で形成された前記クランパープレートが削れた微粉がピックアップのレンズに付着して光が散乱してしまうことにより、記録媒体の表面に形成された微細な信号ビットを判読できなくなるといった問題は回避することが出来る。
【００２３】
請求項６の発明によれば、前記クランパープレートの段差部を前記クランパー本体に形成したＬ型フックの厚さより大きく形成したことにより、前記クランパー本体を組み付けた後は、少なくともＬ型フック部の厚さに相当する分のストロークが大きくなるので、該ストロークが大きくなった分だけ、即ち前記Ｌ型フック部の厚さに相当する分だけ前記クランパー支持部の肉厚を厚くすることが出来るので、前記クランパー支持部の強度を向上させることが出来る。また、前記Ｌ型フックは前記クランパープレートの上面より低くなり、少なくとも前記Ｌ型フック厚さ分だけ前記ディスク装置を薄くすることが出来るのでディスク装置の薄型化とクランパー支持部の補強を共に行なうことが出来る。
【発明を実施するための最良の形態】
【００２４】
以上のように、本発明は、本質的には、ディスク装置のクランパー構造を改善することにより、クランパーのストロークを大きくすると共に前記ディスク装置の薄型化を実現するものであり、その実施例について以下に説明する。
【００２５】
以下、本発明を実施するための最良の形態としての実施例を図１〜図６により以下に説明する。もちろん、本発明は、その発明の趣旨に反さない範囲で、実施例において説明した以外のものに対しても容易に適用可能なことは説明を要するまでもない。
【００２６】
図６はテレビに内蔵されたディスク装置を示す平面図である。
【００２７】
図６に示すディスク装置は図示しないテレビに内蔵されたＤＶＤディスク装置２０であり、樹脂で形成されてＤＶＤディスク装置２０を支持するフレーム３０の上部にはクランパー支持部３１が形成されている。また、クランパー支持部３１の略中央部にはクランパー６０が配置されており、前記クランパー６０はクランパー支持部３１に回動自在に遊嵌して支持されている。また、前記フレーム３０に案内されて図示しない記録媒体を載置して搬送するトレイ５０が配置されており、ユーザーは前記ＤＶＤディスク装置２０を内蔵したテレビにＤＶＤディスクである記録媒体を挿入してＤＶＤディスクに録画された録画情報を視聴することができる。
【００２８】
次に、図１はクランパーとクランパーを支持するクランパー支持部を示す断面図であり、図２から図４はクランパーの構成部材を示す平面図と側断面図であり、図２はクランパー本体の平面図と側断面図であり、図３はマグネットの平面図と側断面図である。続いて図４はクランパープレートの平面図と側断面図である。これら図１から図４により、本実施例におけるクランパーの構成について説明する。
【００２９】
図１に示すクランパー６０には、樹脂で形成されたクランパー本体７０と、金属で形成された略円盤形状のクランパープレート８０と、扁平のリング状を呈し前記クランパー本体７０に収納されて図示しないターンテーブルの金属面を吸引することにより図示しない記録媒体をターンテーブルとクランパー６０の間で挟持するマグネット９０とで構成されており、クランパー６０が開放時であることから、クランパー支持部３１の開口部３２周囲に形成された薄肉部３３で前記クランパープレート８０が支持されて垂下している。
【００３０】
続いて、図２に示すクランパー本体７０には、回転軸線の周囲に前記クランパープレート８０を貫通して位置をガイドする略円筒状のガイド部７１と、前記ガイド部７１の高さ方向の中ほどから周囲に向けて形成した内輪環面７２と、前記内輪環面７２から放射状に延びた８箇所の連結部７３と、前記連結部７３の周囲に形成した外輪環面７４と、前記外輪環面７４と連結部７３の境界から上方に延設した略円筒状の内縁壁７５と、前記外輪環面７４の内から上方に延設した略円筒状の外縁壁７６と、前記内縁壁７５の上端部に形成して前記クランパープレート８０と係合する３箇所のＬ型フック部７７とを一体形成し、前記ガイド部７１と前記内縁壁７５との間をマグネット収納部７８とし、このマグネット収納部７８の深さは前記マグネット９０の厚さより浅く形成すると共に、前記内輪環面７２と前記外輪環面７４とは段差をもって形成されておりこれらを連結する連結部７３は前記マグネット収納部７８に向かって上方に傾斜して形成している。前記マグネット収納部７８は前記内輪環面７２を底面として図３に示すマグネット９０を収納し、前記内輪環面７２から放射状に延び、且つ上方に傾斜して形成された８箇所の連結部７３がバネ性を備えることが出来るので、前記マグネット収納部７８に収納され前記クランパー本体７０にクランパープレート８０が組み付けられた後は、前記マグネット９０は前記バネ性を備えた連結部７３により常にクランパープレート８０に押し付けて維持することが出来るので、前記クランパー６０が図示しない記録媒体を挟持または開放する動作により上下動をするたびに前記マグネット９０がマグネット収納部７８内の隙間で上下に移動して異音が発生してしまうといった問題は防止することが出来る。また、前記マグネット９０の移動を防止する手段を前記クランパー６０の構成部材とは別に設ける必要は無いので、前記クランパー６０は部品点数を最少限のままで構成することが出来る。また、前記マグネット９０の移動防止手段が一体に形成されたことにより前記クランパー６０の組み付け作業は容易に行なうことが出来る。
【００３１】
また、図４に示す前記クランパープレート８０には、前記クランパー本体７０に設けたガイド部７１を貫通する貫通孔８１と、外縁壁７６の上端が当たる位置に外周側が上方に高い段差部８２を形成することにより、前記ガイド部７１を位置ガイドとしてクランパープレート８０の貫通孔８１に貫通し、前記クランパー本体７０と組み付けて前記Ｌ型フック部７７と係合孔８３で係合するときは、前記クランパー本体７０の表裏を逆に挿入しようとしても前記段差部８２が先に前記外縁壁７６の端部に突き当たり前記Ｌ型フック部７７を係合することが出来ないので表裏を逆に取り付けてしまうことは防止することが出来る。これにより、前記クランパープレート８０が図示しないプレス金型で型抜きされることにより縁面に厚さ方向のバリが生じ易くなるバリ縁面８０ａとなり、バリを生じたクランパープレート８０のバリ縁面８０ａがクランパー６０の挟持動作により上下動をするたびにクランパープレート８０と接触して擦れ、樹脂で形成された前記クランパー支持部３１からが削れた微粉が図６に示すピックアップ３５のレンズ３６に付着すると光が散乱してしまい、図５に示す記録媒体２５の表面に形成された図示しない微細な信号ビットを判読できなくなるといった問題は回避することが出来る。また、クランパープレート８０には、前記Ｌ型フック部７７が係合する３箇所の係合孔８３を形成しており、前記段差部８２の段差は前記クランパー本体７０に形成されたＬ型フック部７７の肉厚７７ａより段差寸法８２ａを大きく形成しているので、前記クランパー本体７０を組み付けた後は、少なくともＬ型フック部７７の厚さに相当する分の図１に示すストローク６１が大きくなるので、該ストローク６１が大きくなった分だけ、即ち前記Ｌ型フック部７７の肉厚７７ａに相当する分だけ前記クランパー支持部３１の開口部３２に形成した薄肉部３３の肉厚を厚くすることが出来るので、前記クランパー支持部３１の強度を向上させることが出来る。また、前記Ｌ型フック７７部は前記クランパープレート８０の上面より低くなり、少なくとも前記Ｌ型フック７７部の肉厚７７ａ分だけ前記ＤＶＤディスク装置２０を薄くすることが出来るのでＤＶＤディスク装置２０の薄型化とクランパー支持部３１の補強を共に行なうことが出来る。
【００３２】
次に、図５により、ＤＶＤディスク装置に挿入された記録媒体がターンテーブルに載置され、前記クランパーにより挟持された状態を示す側断面説明図により説明する。
【００３３】
図５に示すＤＶＤディスク装置２０には、回転駆動するモーター４５の回転軸４６と連結して記録媒体２５を載置するターンテーブル４０は上昇位置にあり前記記録媒体２５を載置している。一方のクランパー６０は前記ターンテーブル４０の上昇によりクランパープレート８０はクランパー支持部３１による支持から開放されると共に、クランパー６０に配置されたマグネット９０がターンテーブル４０の金属面４１を吸引することにより前記記録媒体２５を挟持している。また、連結部７３に備えたバネ性によりクランププレート８０に押し付けられて維持された前記マグネット９０がクランパー６０の上下動のたびに移動して異音を発生することを防止している。また、クランパープレート８０には段差部８２を設けてあることから、前記クランパープレート８０を前記クランパー本体７０と組み付けるときは、表裏を逆に挿入しようとしても前記段差部８２が先に前記外縁壁７６の上端部に突き当たり前記Ｌ型フック部７７を係合することが出来ないので表裏を逆に取り付けてしまうことを防止することが出来る。これにより、前記クランパープレート８０が図示しないプレス金型で型抜きされることにより縁面に厚さ方向のバリが生じ易くなり、バリを生じたクランパープレート８０のバリ縁面８０ａがクランパー６０の挟持動作により上下動をするたびにクランパープレート８０と接触して擦れ、樹脂で形成された前記クランパー支持部３１が削れた微粉が図６に示すピックアップ３５のレンズ３６に付着して光が散乱し、図５に示す記録媒体２５の表面に形成された図示しない微細な信号ビットを判読できなくなるといった問題を回避することが出来る。更に、前記クランパープレート８０の段差部８２はクランパー本体７０に形成したＬ型フック部７７の肉厚７７ａより大きく形成したことにより、前記クランパー本体７０を組み付けた後は、少なくともＬ型フック部７７の肉厚７７ａに相当する分の図１に示すストローク６１を大きくすることが出来るので、該ストローク６１が大きくなった分だけ、即ち前記Ｌ型フック部７７の肉厚７７ａに相当する分だけ前記クランパー支持部３１の開口部３２の薄肉部３３の肉厚を厚くすることが出来るので、前記クランパー支持部３１の開口部３２の強度を向上させることが出来る。また、前記Ｌ型フック部７７は前記クランパープレート８０の上面より低くなり、少なくとも前記Ｌ型フック部７７の肉厚７７ａ分だけ前記ＤＶＤディスク装置２０を薄くすることが出来るのでＤＶＤディスク装置２０の薄型化とクランパー支持部３１の補強を共に行なうことが出来るので、薄型化を図った前記ＤＶＤディスク装置２０を内蔵する電子機器の小型化が可能となる。
【００３４】
以上、本実施例を詳述したが、本発明は、前記実施例に限定されるものではなく、本発明の要旨の範囲内で種々の変形実施が可能である。例えば、ＤＶＤディスク装置２０を内蔵する電子機器はテレビに限定されるものではなく、ＤＶＤ録画再生装置やＨＤＤとＤＶＤの複合型録画再生装置などＤＶＤディスク装置２０を内蔵して録画若しくは録画再生が可能な電子機器であれば良く、また、Ｌ型フック部７７と係合孔８３の形状や配置される位置は段差部８２を設けたクランパープレート８０の表裏が逆に挿入されないことが可能な状態であれば良く設計時における配置や組み立て易さを配慮して変更するなど前記実施例に限定されるものではなく、適宜選定すればよい。
【図面の簡単な説明】
【００３５】
【図１】本発明の一実施例を示すクランパーとクランパー支持部を示す断面説明図である。
【図２】本発明におけるクランパーを構成するクランパー本体を示す平面説明図と側断面説明図である。
【図３】本発明におけるクランパーを構成するマグネットを示す平面説明図と側断面説明図である。
【図４】本発明におけるクランパーを構成するクランパープレートを示す平面説明図と側断面説明図である。
【図５】本発明における記録媒体がクランパーで挟持された状態を示す側断面説明図である。
【図６】本発明におけるＤＶＤディスク装置を示す平面説明図である。
【図７】従来のクランパーを構成するクランパー本体を示す平面説明図と側断面説明図である。
【図８】従来のクランパーを構成するマグネットを示す平面説明図と側断面説明図である。
【図９】従来のクランパーを構成するクランパープレートを示す平面説明図と側断面説明図である。
【図１０】従来のクランパーとクランパー支持部を示す断面説明図である。
【符号の説明】
【００３６】
２０        ＤＶＤディスク装置
２５        記録媒体
３０        フレーム
３１        クランパー支持部
４０        ターンテーブル
５０        トレイ
６０        クランパー
７０        クランパー本体
７１        ガイド部
７２        内輪環面
７３        連結部
７４        外輪環面
７５        内縁壁
７６        外縁壁
７７        Ｌ型フック部
７７ａ      肉厚
７８        マグネット収納部
８０        クランパープレート
８２        段差部
８３        係合孔
９０        マグネット
【図１】
2006147110.tif 000003
【図２】
2006147110.tif 000004
【図３】
2006147110.tif 000005
【図４】
2006147110.tif 000006
【図５】
2006147110.tif 000007
【図６】
2006147110.tif 000008
【図７】
2006147110.tif 000009
【図８】
2006147110.tif 000010
【図９】
2006147110.tif 000011
【図１０】
2006147110.tif 000012